(57)【特許請求の範囲】
【請求項１】
貨幣を処理するための送信側貨幣処理装置と、
貨幣を処理するための受信側貨幣処理装置と、を備え、
前記送信側貨幣処理装置は、送信情報をブロードキャストで送信する送信側送信部を有し、
前記受信側貨幣処理装置は、ブロードキャストで送信される前記送信情報を受信する受信側受信部と、所定の設定を行うための受信側設定部と、該受信側設定部の設定内容の確認を行う受信側設定確認部と、前記送信情報に対する応答情報を前記送信側貨幣処理装置に送信する受信側送信部と、を有し、
前記送信側貨幣処理装置は、前記応答情報を受信する送信側受信部と、所定の設定を行うための送信側設定部とを有し、
前記送信側設定部は、前記応答情報に基づいて設定を変更することができることを特徴とする貨幣処理システム。
【請求項２】
前記応答情報は、前記受信側受信部で受信した前記送信情報と前記受信側設定確認部による確認結果とに基づいて判断された情報を含むことを特徴とする請求項１に記載の貨幣処理システム。
【請求項３】
前記応答情報は、前記受信側設定確認部による確認結果を含み、
前記送信側設定部は、前記送信情報と前記確認結果とに基づいて設定を変更することができることを特徴とする請求項１に記載の貨幣処理システム。
【請求項４】
前記送信側貨幣処理装置は、前記送信情報または前記応答情報を記憶する送信側記憶部を有することを特徴とする請求項１乃至３のいずれか１項に記載の貨幣処理システム。
【請求項５】
前記受信側貨幣処理装置は、前記送信情報または前記応答情報を記憶する受信側記憶部を有することを特徴とする請求項１乃至４のいずれか１項のいずれかに記載の貨幣処理システム。
【請求項６】
前記送信側貨幣処理装置は、前記応答情報を表示する送信側表示部をさらに備えたことを特徴とする請求項１乃至５のいずれか１項に記載の貨幣処理システム。
【請求項７】
前記応答情報は、前記受信側貨幣処理装置を識別するための装置識別情報を含むことを特徴とする請求項１乃至６のいずれか１項に記載の貨幣処理システム。
【請求項８】
前記送信側貨幣処理装置の前記送信側送信部は、前記受信側受信部に問い合わせ情報を送信し、
前記受信側受信部が前記問い合わせ情報を受けると、前記受信側設定確認部が前記受信側設定部の設定内容の確認を行い、前記受信側送信部が当該設定内容の確認結果を前記送信側受信部に送信する、
ことを特徴とする請求項１乃至７のいずれか１項に記載の貨幣処理システム。
【請求項９】
前記送信側貨幣処理装置は、推奨される設定を確定する推奨設定確定部をさらに有することを特徴とする請求項８に記載の貨幣処理システム。
【請求項１０】
前記送信側貨幣処理装置は、異常状態が発生した場合に送信側エラー音を発生させる送信側警告部を有し、
前記受信側貨幣処理装置は、異常状態が発生した場合に受信側エラー音を発生させる受信側警告部を有し、
前記送信側設定部は、前記送信側貨幣処理装置の送信側エラー音を設定し、
前記受信側設定部は、前記受信側貨幣処理装置の受信側エラー音を設定し、
前記送信情報は、前記送信側エラー音に関する情報を含む、ことを特徴とする請求項１乃至９のいずれか１項に記載の貨幣処理システム。
【請求項１１】
前記送信側設定部は、前記送信側エラー音と前記受信側エラー音が同一である場合に、異なるエラー音を新たな送信側エラー音として設定することを特徴とする請求項１０に記載の貨幣処理システム。
【請求項１２】
前記応答情報は、前記受信側貨幣処理装置を識別するための装置識別情報を含み、
前記送信側設定部は、前記送信側エラー音と前記受信側エラー音が同一である場合であって、かつ、前記受信側貨幣処理装置と前記送信側貨幣処理装置との間の距離が所定の距離未満である場合に、異なるエラー音を新たな送信側エラー音として設定することを特徴とする請求項１０に記載の貨幣処理システム。
【請求項１３】
前記送信情報は、前記送信側貨幣処理装置と前記受信側貨幣処理装置で同一になるように設定されるべき共通設定項目に関する情報であることを特徴とする請求項１乃至９のいずれか１項に記載の貨幣処理システム。
【請求項１４】
前記送信側貨幣処理装置は、貨幣の識別を行う送信側識別部を有し、
前記受信側貨幣処理装置は、貨幣の識別を行う受信側識別部を有し、
前記送信側設定部は、前記送信側識別部の識別レベルを設定し、
前記受信側設定部は、前記受信側識別部の識別レベルを設定し、
前記送信情報は、前記送信側識別部の識別レベルに関する情報を含む、ことを特徴とする請求項１３に記載の貨幣処理システム。
【請求項１５】
前記送信側貨幣処理装置は、貨幣を収納する送信側収納部を有し、
前記受信側貨幣処理装置は、貨幣を収納する受信側収納部を有し、
前記送信側設定部は、前記送信側収納部に収納されるべき貨幣の金種および枚数を設定し、
前記受信側設定部は、前記受信側収納部に収納されるべき貨幣の金種および枚数を設定し、
前記送信情報は、前記送信側収納部に収納されている貨幣の金種および枚数に関する情報を含む、ことを特徴とする請求項１３に記載の貨幣処理システム。
【発明の詳細な説明】
【技術分野】
【０００１】
本発明は、貨幣を搬送する搬送部と、搬送部で搬送される貨幣を識別する識別部と、貨幣を収納する収納部とを有する貨幣処理装置を、複数個備えた貨幣処理システムに関する。
【背景技術】
【０００２】
従来から、貨幣を搬送する搬送部と、搬送部で搬送される貨幣を識別する識別部と、貨幣を収納する収納部とを備えた貨幣処理装置が知られている（例えば、特許文献１参照）。このような貨幣処理装置が複数設けられている場合において、各貨幣処理装置の設定内容を変更するには時間と手間がかかる。
【０００３】
これを解決する従来技術として、現金処理を行う複数の貨幣処理装置と、複数の貨幣処理装置と伝送路を通じて接続された管理装置とを有する現金処理マルチシステムにおいて、貨幣処理装置は、これを運用するために必要な設定情報を記憶する記憶部と、設定情報を入力する入力手段と、記憶部に記憶された設定情報を管理装置に送信する送信手段と、管理装置から送信されてきた設定情報を受信する受信手段と、入力手段により入力された設定情報または前記受信手段により受信された設定情報を記憶部に記録する記録手段とを有し、管理装置が、ある貨幣処理装置より送信された設定情報を受信し、受信した設定情報を他の複数の貨幣処理装置に同報送信する手段を有したものが知られている（例えば、特許文献２参照）。
【先行技術文献】
【特許文献】
【０００４】
【特許文献１】特開２００９−１５１３５４号公報
【特許文献２】特開平１１−２５９７６７号公報
【発明の概要】
【発明が解決しようとする課題】
【０００５】
しかしながら、特許文献２に記載された発明では、サーバやホストコンピュータなどの管理装置が貨幣処理装置の他に必要となってしまうという課題がある。
【０００６】
また、特許文献２に記載された発明では、各貨幣処理装置を同じ設定にすることが想定されており、複数の貨幣処理装置で異なる設定にしたい場合に対応することができない。例えば、貨幣処理装置においてエラーを報知する警告音（音、音声、曲）が発せられる場合があるが、この警告音が全ての貨幣処理装置で同じ設定である場合には、警告音を発した貨幣処理装置を容易に特定することができずに混乱が生ずる場合があった。
【０００７】
本発明は、このような点を考慮してなされたものであり、複数ある貨幣処理装置の設定内容を異なる設定にすることや、また、貨幣処理装置の他に管理装置を特に設けることなく、複数ある貨幣処理装置の設定内容を同一の設定にすることができる貨幣処理システムを提供することを目的とする。
【課題を解決するための手段】
【０００８】
本発明による貨幣処理システムは、
貨幣を処理するための送信側貨幣処理装置と、
貨幣を処理するための受信側貨幣処理装置と、を備え、
前記送信側貨幣処理装置が、送信情報をブロードキャストで送信する送信側送信部を有し、
前記受信側貨幣処理装置が、ブロードキャストで送信される前記送信情報を受信する受信側受信部と、所定の設定を行うための受信側設定部と、該受信側設定部の設定内容の確認を行う受信側設定確認部と、前記送信情報に対する応答情報を前記送信側貨幣処理装置に送信する受信側送信部と、を有し、
前記送信側貨幣処理装置が、前記応答情報を受信する送信側受信部と、所定の設定を行うための送信側設定部とを有し、
前記送信側設定部が、前記応答情報に基づいて設定を変更することができるようになっている。
【０００９】
本発明による貨幣処理システムにおいて、
前記応答情報は、前記受信側受信部で受信した前記送信情報と前記受信側設定確認部による確認結果とに基づいて判断された情報を含んでもよい。
【００１０】
本発明による貨幣処理システムにおいて、
前記応答情報は、前記受信側設定確認部による確認結果を含み、
前記送信側設定部は、前記送信情報と前記確認結果とに基づいて設定を変更することができてもよい。
【００１１】
本発明による貨幣処理システムにおいて、
前記送信側貨幣処理装置は、前記送信情報または前記応答情報を記憶する送信側記憶部を有してもよい。
【００１２】
本発明による貨幣処理システムにおいて、
前記受信側貨幣処理装置は、前記送信情報または前記応答情報を記憶する受信側記憶部を有してもよい。
【００１３】
本発明による貨幣処理システムにおいて、
前記送信側貨幣処理装置は、前記応答情報を表示する送信側表示部をさらに備えてもよい。
【００１４】
本発明による貨幣処理システムにおいて、
前記応答情報は、前記受信側貨幣処理装置を識別するための装置識別情報を含んでもよい。
【００１５】
本発明による貨幣処理システムにおいて、
前記送信側貨幣処理装置の前記送信側送信部は、前記受信側受信部に問い合わせ情報を送信し、
前記受信側受信部が前記問い合わせ情報を受けると、前記受信側設定確認部が前記受信側設定部の設定内容の確認を行い、前記受信側送信部が当該設定内容の確認結果を前記送信側受信部に送信してもよい。
【００１６】
本発明による貨幣処理システムにおいて、
前記送信側貨幣処理装置は、推奨される設定を確定する推奨設定確定部をさらに有してもよい。
【００１７】
本発明による貨幣処理システムにおいて、
前記送信側貨幣処理装置は、異常状態が発生した場合に送信側エラー音を発生させる送信側警告部を有し、
前記受信側貨幣処理装置は、異常状態が発生した場合に受信側エラー音を発生させる受信側警告部を有し、
前記送信側設定部は、前記送信側貨幣処理装置の送信側エラー音を設定し、
前記受信側設定部は、前記受信側貨幣処理装置の受信側エラー音を設定し、
前記送信情報は、前記送信側エラー音に関する情報を含んでもよい。
【００１８】
本発明による貨幣処理システムにおいて、
前記送信側設定部は、前記送信側エラー音と前記受信側エラー音が同一である場合に、異なるエラー音を新たな送信側エラー音として設定してもよい。
【００１９】
本発明による貨幣処理システムにおいて、
前記応答情報は、前記受信側貨幣処理装置を識別するための装置識別情報を含み、
前記送信側設定部は、前記送信側エラー音と前記受信側エラー音が同一である場合であって、かつ、前記受信側貨幣処理装置と前記送信側貨幣処理装置との間の距離が所定の距離未満である場合に、異なるエラー音を新たな送信側エラー音として設定してもよい。
【００２０】
本発明による貨幣処理システムにおいて、
前記送信情報は、前記送信側貨幣処理装置と前記受信側貨幣処理装置で同一になるように設定されるべき共通設定項目に関する情報であってもよい。
【００２１】
本発明による貨幣処理システムにおいて、
前記送信側貨幣処理装置は、貨幣の識別を行う送信側識別部を有し、
前記受信側貨幣処理装置は、貨幣の識別を行う受信側識別部を有し、
前記送信側設定部は、前記送信側識別部の識別レベルを設定し、
前記受信側設定部は、前記受信側識別部の識別レベルを設定し、
前記送信情報は、前記送信側識別部の識別レベルに関する情報を含んでもよい。
【００２２】
本発明による貨幣処理システムにおいて、
前記送信側貨幣処理装置は、貨幣を収納する送信側収納部を有し、
前記受信側貨幣処理装置は、貨幣を収納する受信側収納部を有し、
前記送信側設定部は、前記送信側収納部に収納されるべき貨幣の金種および枚数を設定し、
前記受信側設定部は、前記受信側収納部に収納されるべき貨幣の金種および枚数を設定し、
前記送信情報は、前記送信側収納部に収納されている貨幣の金種および枚数に関する情報を含んでもよい。
【発明の効果】
【００２３】
本発明によれば、送信側貨幣処理装置が、送信情報をブロードキャストで送信する送信側送信部を有している。また、受信側貨幣処理装置が、ブロードキャストで送信される送信情報を受信する受信側受信部と、所定の設定を行うための受信側設定部と、受信側設定部の設定内容の確認を行う受信側設定確認部と、送信情報に対する応答情報を送信側貨幣処理装置に送信する受信側送信部とを有している。さらに、送信側貨幣処理装置が、応答情報を受信する送信側受信部と、所定の設定を行うための送信側設定部とを有し、送信側設定部が応答情報に基づいて設定を変更することができるようになっている。このため、本発明によれば、複数ある貨幣処理装置の設定内容を異なる設定にすることや、また、貨幣処理装置の他に管理装置を特に設けることなく複数ある貨幣処理装置の設定内容を同一の設定にすることができる。
【図面の簡単な説明】
【００２４】
【図１】本発明の第１の実施の形態による貨幣処理装置を示す斜視図。
【図２】本発明の第１の実施の形態による貨幣処理装置の紙幣処理ユニットを示す側方断面図。
【図３】本発明の第１の実施の形態による貨幣処理装置の硬貨処理ユニットを示す側方断面図。
【図４】本発明の第１の実施の形態による貨幣処理装置の制御部と各部分との接続状況を示すためのブロック図。
【図５】本発明の第１の実施の形態による貨幣処理システムにおける制御信号の流れを説明するためのブロック図。
【図６】本発明の第１の実施の形態による貨幣処理システムにおける処理の流れを説明するためのフロー図。
【図７】本発明の第２の実施の形態による貨幣処理システムにおける処理の流れを説明するためのフロー図。
【図８】本発明の第１の実施の形態を基本とした第３の実施の形態による貨幣処理システムにおける処理の流れを説明するためのフロー図。
【図９】本発明の第２の実施の形態を基本とした第３の実施の形態による貨幣処理システムにおける処理の流れを説明するためのフロー図。
【図１０】本発明の第４の実施の形態による貨幣処理システムにおける処理の流れを説明するためのフロー図。
【図１１】本発明の第３および第４の実施の形態の変形例による貨幣処理装置の制御部と各部分との接続状況を示すためのブロック図。
【図１２】本発明の第５の実施の形態による貨幣処理システムにおける処理の流れを説明するためのフロー図。
【発明を実施するための形態】
【００２５】
第１の実施の形態
以下、本発明に係る貨幣処理システムの第１の実施の形態について、図面を参照して説明する。ここで、図１乃至図６は本発明の第１の実施の形態を示す図である。なお、本願において「貨幣」とは「硬貨」と「紙幣」の両方を意味している。
【００２６】
本実施の形態の貨幣処理システムは、複数の貨幣処理装置を備えている。最初に、各貨幣処理装置の構成について説明する。
【００２７】
各貨幣処理装置は、図１に示すように、筐体１と、筐体１に設けられて貨幣を入金するための入金部２０，３０と、入金部２０，３０で入金された貨幣を筐体１内で搬送する搬送部１２０，１３０（図２および図３参照）と、搬送部１２０，１３０で搬送される貨幣を識別する識別部１５０，１５５（図２および図３参照）と、筐体１内で貨幣を収納する収納部１６０，１７０（図２および図３参照）と、筐体１に設けられて収納部１６０，１７０に収納された貨幣を搬送部１２０，１３０を介して出金するための出金部２５，３５（３５ｒ，３５ｌ）と、を備えている。なお、貨幣処理装置１００は、紙幣を処理する紙幣処理ユニットと、硬貨を処理する硬貨処理ユニットとからなっている。
【００２８】
入金部２０，３０は、紙幣を入金するための紙幣入金部２０と、硬貨を入金するための硬貨入金部３０とを有している。また、搬送部１２０，１３０は、紙幣を搬送するための紙幣搬送部１２０と、硬貨を搬送するための硬貨搬送部１３０とを有している。また、識別部１５０，１５５は、紙幣を識別するための紙幣識別部１５０と、硬貨を搬送するための硬貨識別部１５５とを有している。また、出金部２５，３５は、紙幣を出金するための紙幣出金部２５と、硬貨を出金するための硬貨出金部３５（３５ｒ，３５ｌ）とを有している。
【００２９】
収納部１６０，１７０は、識別部１５０，１５５によって識別された貨幣を金種別で収納するための金種別収納庫１６１，１７１と、回収貨幣を収納するための回収カセット１６５，１７５とを有している。このうち、金種別収納庫１６１，１７１は、紙幣識別部１５０によって識別された紙幣を金種別に収納する複数の金種別紙幣収納庫１６１と、硬貨識別部１５５によって識別された硬貨を金種別に収納する複数の金種別硬貨収納庫１７１とを有している。また、回収カセット１６５，１７５は、回収紙幣を収納するために用いられる紙幣カセット１６５と、回収硬貨を収納するために用いられる硬貨カセット１７５とを有している。なお、本実施の形態では、金種別紙幣収納庫１６１と、後述する紙幣リフト１６２と、紙幣カセット１６５とによって紙幣収納部１６０が構成され、金種別硬貨収納庫１７１と、後述する収納硬貨搬送部１７２と、硬貨カセット１７５とによって硬貨収納部１７０が構成されている。
【００３０】
図１に示すように、紙幣入金部２０は、筐体１の前面の幅方向中央位置に配置されて開口された紙幣入金口２１と、この紙幣入金口２１を開閉するために設けられたシャッタ２２と、を有している。また、硬貨入金部３０は、筐体１の上面手前側の幅方向中央位置に配置されて上方に向けて開口された硬貨入金口３１と、この硬貨入金口３１を開閉するために設けられたシャッタ（図示せず）と、を有している。なお、紙幣は、紙幣の長手方向を装置幅方向に、紙幣の短手方向を装置奥行き方向にそれぞれ合わせて、紙幣入金口２１に挿入されることとなる。
【００３１】
また、図２に示すように、金種別紙幣収納庫１６１内には、金種別紙幣収納庫１６１内で昇降することで紙幣を昇降させる紙幣リフト１６２が設けられている。また、図３に示すように、金種別硬貨収納庫１７１内には、金種別硬貨収納庫１７１内の硬貨を搬送するための収納硬貨搬送部１７２が設けられている。なお、収納硬貨搬送部１７２は、硬貨搬送ベルト１７３と、この硬貨搬送ベルト１７３を回転させるプーリー１７４と、このプーリー１７４を回転させる駆動モータ（図示せず）を有している。また、収納硬貨搬送部１７２によって搬送された硬貨は、カセットシュート切換部１７９によって、硬貨出金部３５ｒ，３５ｌに投出されるか、硬貨カセット１７５に収納されるかが切り換えられる。
【００３２】
また、図１に示すように、紙幣出金部２５は、筐体１の前面の幅方向中央位置で紙幣入金口２１の下方に配置された紙幣出金口２６と、この紙幣出金口２６を開閉するために設けられたシャッタ（図示せず）とを有している。また、硬貨出金部３５（３５ｒ，３５ｌ）は、筐体１の前面の幅方向左右端位置に設けられて左右のテラー用に設けられた硬貨出金口３６（３６ｒ，３６ｌ）と、各硬貨出金口３６（３６ｒ，３６ｌ）の下方に設けられた凹部に配置されて装置内から払い出される硬貨を受け入れる硬貨出金ボックス３７（３７ｒ，３７ｌ）と、を有している。
【００３３】
なお、紙幣出金口２６の両側近傍には、紙幣出金口２６に紙幣が払い出されたことを点滅表示する紙幣出金ランプが設けられている。また各硬貨出金口３６ｒ，３６ｌの近傍には、対応する硬貨出金口３６ｒ，３６ｌに硬貨が払い出されたことを点滅表示する硬貨出金ランプがそれぞれ設けられている。ところで、紙幣は、紙幣の長手方向を装置幅方向に、紙幣の短手方向を装置奥行き方向にそれぞれ合わせて、紙幣出金口２６から払い出されることとなる。
【００３４】
また、図１に示すように、筐体１の前面の幅方向中央位置で紙幣出金口２６の下方には、前方に向けて開口された凹部内にリジェクト紙幣を収納するリジェクトボックス４２が開閉可能に配置されている。リジェクトボックス４２には、凹部内にリジェクトボックス４２が挿入された状態で、施錠、解錠するリジェクトボックスキー挿入部４５が設けられている。
【００３５】
また、図１に示すように、筐体１の上面の幅方向左右端位置には、左右のテラー用にキー入力部６１ｒ，６１ｌ，６６ｒ，６６ｌがそれぞれ設けられている。キー入力部６１ｒ，６１ｌ，６６ｒ，６６ｌは、左右のテラーで紙幣の入出金処理の占有を指示するための紙幣処理ユニット占有キー６１ｒ，６１ｌと、左右のテラーで硬貨の入出金処理の占有を指示するための硬貨処理ユニット占有キー６６ｒ，６６ｌとを有している。
【００３６】
また、図１に示すように、筐体１の前面の紙幣入金口２１の右側には、貨幣処理装置１００の電源をＯＮ／ＯＦＦする電源スイッチ５が設けられている。また、紙幣出金口２６の左側には、入金処理や出金処理など、例えば銀行窓口のテラーなどの装置利用者が実行可能な通常処理モードから、装填処理、回収処理、精査処理など、例えば銀行の役席レベルの管理者が実行可能な管理者処理モードに切り換え可能にする入金出金モード管理キー５１が設けられている。また、紙幣出金口２６の右側には、上部ユニット５０を施錠、解錠するための上部キー挿入部５５が設けられている。なお、この上部ユニット５０は、筐体１から前方に引き出すことで筐体１から取り外すことができ、他方、筐体１に向かって押すことによって筐体１に取り付けることができるようになっている。
【００３７】
また、図１に示すように、筐体１の前面でリジェクトボックス４２が挿入される凹部の下方には、下部扉１０が開閉可能に取り付けられている。この下部扉１０には、下部扉１０の閉鎖状態で施錠、解錠される下部扉キー挿入部１５が設けられている。そして、下部扉１０の内側には、紙幣カセット１６５が装置幅方向中央位置に着脱可能に配置されているとともに、この紙幣カセット１６５に対して装置幅方向の一側に並んで硬貨カセット１７５が着脱可能に配置されている（図２および図３参照）。
【００３８】
また、図１に示すように、筐体１の上面の幅方向中央には装置表示部７０が設けられ、筐体１の上面右側には複数のファンクションキー（操作入力部）７１が設けられている。装置表示部７０では、所定の情報、例えば、他の貨幣処理装置から送られてくる応答情報（後述する）、ファンクションキー７１の機能、トラブル時のメッセージ、ガイダンスメッセージなどが表示される。ファンクションキー７１では、装置表示部７０の表示切換、貨幣処理装置１００で行われる処理の選択などの操作が可能になっている。なお、本実施の形態では、装置表示部７０と操作入力部７１とが別体になっている態様を用いて説明するが、これに限られることはなく、例えば、装置表示部７０と操作入力部７１とが一体のタッチパネルにより構成される態様であっても構わない。
【００３９】
また、図４に示すように、貨幣処理装置１００は、情報をブロードキャストで送信する送信部８５と、ブロードキャストで送信される送信情報（後述する）や他の貨幣処理装置１００から送信されてくる送信情報に対する応答情報などを受信する受信部８６と、入金処理や出金処理を行っている際に異常状態が発生した場合にエラー音を発生させる警告部１６と、警告部１６で発生させるエラー音を設定するための設定部１０と、設定部１０の設定内容の確認を行う設定確認部１１と、受信部８６で受信したエラー音に関する送信情報と設定確認部１１によって確認されたエラー音に関する情報とに基づいて、これらのエラー音が同一であるかまたは異なっているかを判断するための制御部８０と、送信情報または応答情報を記憶する記憶部８１と、を有している。なお、本願でエラー音が同一というのは、エラー音が全く同一である場合のみならず、エラー音が類似して紛らわしい場合も含んでいる。なお、これら送信部８５、受信部８６、警告部１６、設定部１０、設定確認部１１、記憶部８１は制御部８０を介して互いに接続されている。
【００４０】
また、図４に示すように、制御部８０には、紙幣搬送部１２０、紙幣識別部１５０および紙幣収納部１６０（とりわけ紙幣リフト１６２）、並びに、硬貨搬送部１３０、硬貨識別部１５５および硬貨収納部１７０（とりわけプーリー１７３を回転させる駆動モータ）が接続され、制御部８０がこれらを制御する。また、制御部８０には、ファンクションキー７１および装置表示部７０も接続されている。
【００４１】
次に、銀行などの金融機関に既に複数の貨幣処理装置１００が設置されている状態において、新たに貨幣処理装置１００を設置する場合における作用および効果について説明する。
【００４２】
なお、新たに設置される貨幣処理装置１００を送信側貨幣処理装置１００ｓとして、また、既に設置されている貨幣処理装置１００を受信側貨幣処理装置１００ｒとして、以下、説明する。そして、送信側貨幣処理装置１００ｓの送信部８５、受信部８６、警告部１６、設定部１０、設定確認部１１、制御部８０、記憶部８１、識別部１５０，１５５および収納部１６０，１７０を、各々、送信側送信部８５ｓ、送信側受信部８６ｓ、送信側警告部１６ｓ、送信側設定部１０ｓ、送信側設定確認部１１ｓ、送信側制御部８０ｓ、送信側記憶部８１ｓ、送信側識別部１５０ｓ，１５５ｓおよび送信側収納部１６０ｓ，１７０ｓとし、受信側貨幣処理装置１００ｒの送信部８５、受信部８６、警告部１６、設定部１０、設定確認部１１、制御部８０、記憶部８１、識別部１５０，１５５および収納部１６０，１７０を、各々、受信側送信部８５ｒ、受信側受信部８６ｒ、受信側警告部１６ｒ、受信側設定部１０ｒ、受信側設定確認部１１ｒ、受信側制御部８０ｒ、受信側記憶部８１ｒ、受信側識別部１５０ｒ，１５５ｒおよび受信側収納部１６０ｒ，１７０ｒとして説明する。
【００４３】
ところで、図５は、貨幣処理システムにおける制御信号の流れを説明するためのブロック図であるが、この図５では、簡略化するため、図４とは異なり、送信側送信部８５ｓ、送信側受信部８６ｓ、送信側警告部１６ｓ、送信側設定部１０ｓ、送信側設定確認部１１ｓ、送信側制御部８０ｓ、送信側記憶部８１ｓ、送信側識別部１５０ｓ，１５５ｓおよび送信側収納部１６０ｓ，１７０ｓと、受信側送信部８５ｒ、受信側受信部８６ｒ、受信側警告部１６ｒ、受信側設定部１０ｒ、受信側設定確認部１１ｒ、受信側制御部８０ｒ、受信側記憶部８１ｒ、受信側識別部１５０ｒ，１５５ｒおよび受信側収納部１６０ｒ，１７０ｒのみを示している。
【００４４】
以下、図５および図６を用いて、貨幣処理システムにおける処理の流れを説明する。なお、以下で示す「ＳＴ」は断りがない限り図６で示された「ＳＴ」を意味している。
【００４５】
まず、銀行などの金融機関に、送信側貨幣処理装置１００ｓが新たに設置される（ＳＴ１０）。
【００４６】
次に、送信側貨幣処理装置１００ｓの送信側制御部８０ｓによって、送信側貨幣処理装置１００ｓのエラー音（以下、「送信側エラー音」とも言う。）に関する送信情報が、複数の受信側貨幣処理装置１００ｒに向けて、送信側送信部８５ｓを介してブロードキャストで送信される（ＳＴ１１）。
【００４７】
次に、各受信側貨幣処理装置１００ｒの受信側受信部８６ｒによって、ブロードキャストで送信された送信側エラー音に関する送信情報が受信される（ＳＴ１２）。
【００４８】
次に、各受信側貨幣処理装置１００ｒの受信側設定確認部１１ｒによって、受信側設定部１０ｒの設定内容、より具体的には受信側貨幣処理装置１００ｒのエラー音（以下、「受信側エラー音」とも言う。）の確認が行われる（ＳＴ１３）。そして、受信側制御部８０ｒによって、受信側受信部８６ｒで受信した送信側エラー音に関する送信情報と受信側設定確認部１１ｒによって確認された受信側エラー音に関する情報とに基づいて、送信側エラー音と受信側エラー音とが同一であるかまたは異なっているかが判断される。
【００４９】
次に、送信側エラー音と受信側エラー音とが同一であるかまたは異なっているかからなる応答情報が、各受信側送信部８５ｒによって送信側受信部８６ｓに送信される（ＳＴ１４）。なお、本実施の形態では、送信側エラー音と受信側エラー音とが同一であろうと異なっていようと、応答情報が必ず送信される態様を用いて説明する。しかしながら、これに限られることはなく、送信側エラー音と受信側エラー音とが同一である場合にのみ応答情報が送信される態様であってもよいし、送信側エラー音と受信側エラー音とが異なる場合にのみ応答情報が送信される態様であってもよい。また、どのような場合（送信側エラー音と受信側エラー音とが同一である場合、送信側エラー音と受信側エラー音とが異なっている場合、または、送信側エラー音と受信側エラー音とが同一である場合と異なっている場合の両方の場合のいずれの場合）に応答情報を送信するかは、操作者によって適宜選択可能となっていてもよい。
【００５０】
送信側制御部８０ｓが、送信側受信部８６ｓを介して各受信側送信部８５ｒから応答情報を受信すると（ＳＴ１５）、当該送信側制御部８０ｓによって、応答情報より、送信側エラー音と同一の受信側エラー音があったか確認される（ＳＴ２０）。なお、送信側エラー音と受信側エラー音とが同一である場合にのみ応答情報が送信される態様では、送信側送信部８５ｓから送信情報が送信されてから一定の時間の間、応答情報が送信側受信部８６ｓで受信されなければ、送信側エラー音と受信側エラー音とが異なるものとして送信側制御部８０ｓで判断される。他方、送信側エラー音と受信側エラー音とが異なる場合にのみ応答情報が送信される態様では、送信側送信部８５ｓから送信情報が送信されてから一定の時間の間、応答情報が送信側受信部８６ｓで受信されなければ、送信側エラー音と受信側エラー音とが同一であるとして送信側制御部８０ｓで判断される。
【００５１】
送信側エラー音と各受信側貨幣処理装置１００ｒの受信側エラー音とが異なっている場合には、送信側貨幣処理装置１００ｓの装置表示部（送信側表示部）７０に先程送信した送信側エラー音を利用することができる旨表示されるとともに、送信側エラー音が送信側貨幣処理装置１００ｓのエラー音として採用され、送信側設定部１０ｓによって、当該送信側エラー音がエラー音として設定される（ＳＴ２５）。
【００５２】
他方、送信側エラー音と受信側エラー音とが同一の場合には、送信側貨幣処理装置１００ｓの装置表示部７０に先程送信した送信側エラー音を利用することができない旨表示される。そして、送信側設定部１０ｓによって、先程送信した送信側エラー音と異なるエラー音が新たな送信側エラー音として設定され、送信側エラー音が変更される（ＳＴ２６）。その後、再度、送信側貨幣処理装置１００ｓの送信側制御部８０ｓによって、送信側エラー音に関する送信情報が、複数の受信側貨幣処理装置１００ｒに向けて、送信側送信部８５ｓを介してブロードキャストで送信される（ＳＴ１１）。なお、送信側エラー音を変更する場合には、異なるエラー音が送信側設定部１０ｓによって自動的に選択されてもよいし、操作者からの指示を受けて送信側設定部１０ｓが設定してもよい。
【００５３】
以降は、送信側制御部８０ｓで、送信側エラー音と各受信側貨幣処理装置１００ｒの受信側エラー音とが異なっていると判断されるまで、上述した工程が繰り返される。そして、送信側制御部８０ｓによって、送信側エラー音と各受信側貨幣処理装置１００ｒの受信側エラー音と異なっていることが確認された場合に、当該送信側エラー音が送信側貨幣処理装置１００ｓのエラー音として採用される。
【００５４】
このように、本実施の形態によれば、貨幣処理装置１００の他に管理装置を特に設けることなく、複数ある貨幣処理装置１００のエラー音に関する設定を異なる設定に容易にすることができる。
【００５５】
また、本実施の形態では、送信した送信側エラー音を利用することができるかどうかを、操作者が装置表示部７０を介して随時確認することができるため、エラー音の設定を効率よく行うことができる。
【００５６】
ところで、上記では、受信側制御部８０ｒによって、送信側エラー音と受信側エラー音とが同一であるかまたは異なっているかが判断される態様を用いて説明したが、これに限られることはない。例えば、受信側設定確認部１１ｒによって受信側エラー音が確認されると、その受信側エラー音に関する情報が応答情報として送信側制御部８０ｓに送られ、送信側制御部８０ｓで送信側エラー音と同一の受信側エラー音があるかが判断されてもよい。なお、このように送信側制御部８０ｓで送信側エラー音と同一の受信側エラー音があるかが判断される態様は、後述する第２−第４の実施の形態の各々にも適用することができる。
【００５７】
第２の実施の形態
次に、図７により、本発明の第２の実施の形態について説明する。
【００５８】
第１の実施の形態は、送信側エラー音と同一のエラー音を用いている受信側貨幣処理装置１００ｒがある場合には、一律に、送信側エラー音を変更する態様であったが、本実施の形態では、送信側エラー音と同一のエラー音を用いていると判断された受信側貨幣処理装置１００ｒと送信側貨幣処理装置１００ｓとの間の距離も考慮して、送信側エラー音を変更するかを判断する態様になっている。なお、本実施の形態の応答情報には、受信側貨幣処理装置１００ｒを識別するための装置識別情報が含まれている。第２の実施の形態において、その他の構成は、第１の実施の形態と略同一の態様となっている。
【００５９】
図７に示す第２の実施の形態において、図１乃至図６に示す第１の実施の形態と同一部分には同一符号を付して詳細な説明は省略する。
【００６０】
以下、図５および図７を用いて、貨幣処理システムにおける処理の流れを説明する。なお、以下で示す「ＳＴ」は断りがない限り図７で示された「ＳＴ」を意味している。
【００６１】
まず、銀行などの金融機関に、送信側貨幣処理装置１００ｓが新たに設置される（ＳＴ１０）。
【００６２】
次に、送信側貨幣処理装置１００ｓの送信側制御部８０ｓによって、送信側エラー音に関する送信情報が、複数の受信側貨幣処理装置１００ｒに向けて、送信側送信部８５ｓを介してブロードキャストで送信される（ＳＴ１１）。
【００６３】
次に、各受信側貨幣処理装置１００ｒの受信側受信部８６ｒによって、ブロードキャストで送信された送信側エラー音に関する送信情報が受信される（ＳＴ１２）。
【００６４】
次に、各受信側貨幣処理装置１００ｒの受信側設定確認部１１ｒによって、受信側設定部１０ｒの設定内容、より具体的には受信側貨幣処理装置１００ｒの受信側エラー音の確認が行われる（ＳＴ１３）。そして、受信側制御部８０ｒによって、受信側受信部８６ｒで受信した送信側エラー音に関する送信情報と受信側設定確認部１１ｒによって確認された受信側エラー音に関する情報とに基づいて、送信側エラー音と受信側エラー音とが同一であるかまたは異なっているかが判断される。
【００６５】
次に、送信側エラー音と受信側エラー音とが同一であるかまたは異なっているかからなる応答情報が、各受信側送信部８５ｒによって送信側受信部８６ｓに送信される（ＳＴ１４）。そして、送信側受信部８６ｓを介して送信側制御部８０ｓが、各受信側送信部８５ｒから応答情報を受信すると（ＳＴ１５）、当該送信側制御部８０ｓによって、応答情報より、送信側エラー音と同一の受信側エラー音があったか確認される（ＳＴ２０）。
【００６６】
ここで、送信側エラー音と各受信側貨幣処理装置１００ｒの受信側エラー音とが異なっている場合には、送信側エラー音が送信側貨幣処理装置１００ｓのエラー音として採用され、送信側設定部１０ｓによって、当該送信側エラー音がエラー音として設定される（ＳＴ２５）。なおこのとき、送信側貨幣処理装置１００ｓの装置表示部７０に、先程送信した送信側エラー音を利用することができる旨表示される。
【００６７】
他方、送信側エラー音と受信側エラー音とが同一の場合には、エラー音が同一と判断された受信側貨幣処理装置１００ｒと送信側貨幣処理装置１００ｓとの間の距離が所定の距離以上かが送信側制御部８０ｓで判断される（ＳＴ２１）。そして、受信側貨幣処理装置１００ｒと送信側貨幣処理装置１００ｓとの間の距離が所定の距離以上である場合には、送信側エラー音が送信側貨幣処理装置１００ｓのエラー音として採用され、送信側設定部１０ｓによって、当該送信側エラー音がエラー音として設定される（ＳＴ２５）。このとき、送信側貨幣処理装置１００ｓの装置表示部７０に、先程送信した送信側エラー音を利用することができる旨表示されることは、上記と同様である。
【００６８】
ところで、受信側貨幣処理装置１００ｒと送信側貨幣処理装置１００ｓとの間の距離の判定は、例えば、事前に記憶された各貨幣処理装置１００の識別情報と、識別情報と関連付けて記憶された各貨幣処理装置１００間の距離情報とに基づいて行うことができる。具体的には、基準となる位置から各貨幣処理装置１００までの距離と方角など座標を特定できる情報を、各貨幣処理装置１００のＩＰアドレスと関連付けて記憶しておくことにより、各貨幣処理装置１００間の距離を求めることができる。このとき、壁や棚などの障害物による影響やエラー音の周波数特性から、音圧の減衰レベルを考慮した情報とすれば、より正確な判断を行うことが可能となる。
【００６９】
また、このような態様だけに限られず、問題となる受信側貨幣処理装置１００ｒから所定周波数、所定音圧の基準音を発し、送信側貨幣処理装置１００ｓで、その基準音を受信し、当該基準音の減衰から距離を判定する態様であっても構わない。
【００７０】
上記とは逆に、受信側貨幣処理装置１００ｒと送信側貨幣処理装置１００ｓとの間の距離が所定の距離未満である場合には、送信側貨幣処理装置１００ｓの装置表示部７０に先程送信した送信側エラー音を利用することができない旨表示される。そして、送信側設定部１０ｓによって、先程送信した送信側エラー音と異なるエラー音が新たな送信側エラー音として設定され、送信側エラー音が変更される（ＳＴ２６）。なお、送信側エラー音を変更する場合には、異なるエラー音が送信側設定部１０ｓによって自動的に選択されてもよいし、操作者からの指示を受けて送信側設定部１０ｓが設定してもよい。
【００７１】
その後、再度、送信側貨幣処理装置１００ｓの送信側制御部８０ｓによって、送信側エラー音に関する送信情報が、複数の受信側貨幣処理装置１００ｒに向けて、送信側送信部８５ｓを介してブロードキャストで送信される（ＳＴ１１）。
【００７２】
以降は、送信側制御部８０ｓで、送信側エラー音と各受信側貨幣処理装置１００ｒの受信側エラー音とが異なっていると判断されるか、または、エラー音が同一と判断された受信側貨幣処理装置１００ｒと送信側貨幣処理装置１００ｓとの間の距離が所定の距離以上であると判断されるまで、上述した工程が繰り返される。そして、送信側エラー音と各受信側貨幣処理装置１００ｒの受信側エラー音と異なっていると判断されるか、または、場合に、エラー音が同一と判断された受信側貨幣処理装置１００ｒと送信側貨幣処理装置１００ｓとの間の距離が所定の距離以上であると判断されると、当該送信側エラー音が送信側貨幣処理装置１００ｓのエラー音として採用される。
【００７３】
ところで、上記では、受信側貨幣処理装置１００ｒと送信側貨幣処理装置１００ｓとの間の距離が所定の距離以上かが送信側制御部８０ｓで判断される態様を用いて説明したが、これに限られることはなく、応答情報に含まれる、受信側貨幣処理装置１００ｒを識別するための装置識別情報に基づいて、操作者が自らの判断で、受信側貨幣処理装置１００ｒと送信側貨幣処理装置１００ｓとの間の距離が、エラー音の混同を生じさせる距離であるか否かを判断してもよい。
【００７４】
また、上記では、全ての受信側貨幣処理装置１００ｒのエラー音をとりあえず確認する態様を用いて説明したが、これに限られることはなく、例えば、送信側貨幣処理装置１００ｓから所定の距離未満にある受信側貨幣処理装置１００ｒのエラー音のみを確認し、当該受信側貨幣処理装置１００ｒを対象として、送信側エラー音と同一のエラー音の受信側貨幣処理装置１００ｒがあるかを判断してもよい。なお、このように送信側貨幣処理装置１００ｓから所定の距離未満にある受信側貨幣処理装置１００ｒのみを対象にする態様は、後述する第３の実施の形態で第２の実施の形態を基本とした態様についても適用することができる。
【００７５】
このように、本実施の形態によれば、貨幣処理装置１００の他に管理装置を特に設けることなく、複数ある貨幣処理装置１００のエラー音に関する設定を異なる設定に容易にすることができる。
【００７６】
また、本実施の形態によれば、受信側貨幣処理装置１００ｒと送信側貨幣処理装置１００ｓとの間の距離が所定の距離以上離れている場合にのみ、送信側貨幣処理装置１００ｓのエラー音の設定を変える。このため、例え他の貨幣処理装置１００で同一のエラー音（類似のエラー音も含む。）が設定されていたとしても、その貨幣処理装置１００との距離が所定の距離以上の場合には、当該エラー音を利用することができる。このため、エラー音の選択幅を広げることができる。
【００７７】
第３の実施の形態
次に、図８および図９により、本発明の第３の実施の形態について説明する。
【００７８】
本実施の形態では、第１の実施の形態の態様または第２の実施の形態の態様に加えて、送信側制御部８０ｓが、送信側送信部８５ｓを介して、ブロードキャストで各受信側受信部８６ｒに問い合わせ情報を送信するように構成されている。
【００７９】
そして、受信側受信部８６ｒが問い合わせ情報を受信すると、受信側設定確認部１１ｒが受信側設定部１０ｒで設定されているエラー音の設定内容の確認を行い、受信側送信部８５ｒが当該設定内容の確認結果に関する情報を送信側受信部８６ｓに送信する態様になっている。第３の実施の形態において、その他の構成は、第１の実施の形態または第２の実施の形態と略同一の態様となっている。
【００８０】
図８および図９に示す第３の実施の形態において、図１乃至図７に示す第１の実施の形態および第２の実施の形態と同一部分には同一符号を付して詳細な説明は省略する。
【００８１】
最初に、第１の実施の形態の態様を基本とした態様について、図５および図８を用いて説明する。なお、以下で示す「ＳＴ」は断りがない限り図８で示された「ＳＴ」を意味している。また、ＳＴ１０−ＳＴ２１までの記載は、第１の実施の形態と記載が重複するので省略する。
【００８２】
送信側制御部８０ｓで、送信側エラー音と同一の受信側エラー音が用いられていると判断された場合には、送信側制御部８０ｓによって、送信側送信部８５ｓを介してブロードキャストで各受信側受信部８６ｒ（または、ＳＴ１４で同一のエラー音を用いていると送信した受信側受信部８６ｒ以外の受信側受信部８６ｒ）に問い合わせ情報が送信される（ＳＴ３１）。この際、操作者がファンクションキー７１などを操作することで問い合わせ情報が送信されてもよいし、送信側制御部８０ｓが自動的に問い合わせ情報を送信してもよい。
【００８３】
そして、受信側受信部８６ｒが問い合わせ情報を受信すると（ＳＴ３２）、受信側設定確認部１１ｒによって、受信側設定部１０ｒで設定されているエラー音の設定内容の確認が行われる（ＳＴ３３）。
【００８４】
その後、受信側制御部８０ｒによって、受信側送信部８５ｒを介して、当該設定内容の確認結果に関する情報が送信側制御部８０ｓに送信される（ＳＴ３４）。
【００８５】
次に、送信側制御部８０ｓによって、送信側受信部８６ｓを介して、各受信側貨幣処理装置１００ｒから送信された設定内容の確認結果に関する情報が受信される（ＳＴ３５）。
【００８６】
次に、送信側制御部８０ｓによって、送られてきたエラー音の内容が判断される。そして、送信側制御部８０ｓからの指示を受けて、送信側設定部１０ｓによって、既に受信側貨幣処理装置１００ｒで設定されているエラー音と異なるエラー音が送信側エラー音として設定されることで、送信側設定部１０ｓのエラー音が変更される（ＳＴ２６’）。
【００８７】
次に、第２の実施の形態の態様を基本とした態様について、図５および図９を用いて説明する。なお、以下で示す「ＳＴ」は断りがない限り図９で示された「ＳＴ」を意味している。また、ＳＴ１０−ＳＴ２１までの記載は、第２の実施の形態と記載が重複するので省略する。
【００８８】
送信側制御部８０ｓで、送信側エラー音と同一の受信側エラー音が用いられていると判断された場合であって、かつ、エラー音が同一と判断された受信側貨幣処理装置１００ｒと送信側貨幣処理装置１００ｓとの間の距離が所定の距離以上であると判断された場合には、送信側制御部８０ｓによって、送信側送信部８５ｓを介してブロードキャストで、送信側貨幣処理装置１００ｓから所定の距離未満にある（一つ以上の）受信側受信部８６ｒに問い合わせ情報が送信される（ＳＴ３１）。（なおこのとき、ＳＴ１４で同一のエラー音を用いていると送信した受信側受信部８６ｒには問い合わせ情報を送信しなくてもよい。）
【００８９】
そして、受信側受信部８６ｒが問い合わせ情報を受信すると（ＳＴ３２）、受信側設定確認部１１ｒによって、受信側設定部１０ｒで設定されているエラー音の設定内容の確認が行われる（ＳＴ３３）。
【００９０】
その後、受信側制御部８０ｒによって、受信側送信部８５ｒを介して、当該設定内容の確認結果に関する情報が送信側制御部８０ｓに送信される（ＳＴ３４）。
【００９１】
次に、送信側制御部８０ｓによって、送信側受信部８６ｓを介して、受信側貨幣処理装置１００ｒから送信された設定内容の確認結果に関する情報が受信される（ＳＴ３５）。
【００９２】
次に、送信側制御部８０ｓによって、送られてきたエラー音の内容が判断される。そして、送信側制御部８０ｓからの指示を受けて、送信側設定部１０ｓによって、所定の距離未満にある受信側貨幣処理装置１００ｒで既に設定されているエラー音と異なるエラー音が送信側エラー音として設定されることで、送信側設定部１０ｓのエラー音が変更される（ＳＴ２６’）。
【００９３】
このように、本実施の形態によれば、貨幣処理装置１００の他に管理装置を特に設けることなく、複数ある貨幣処理装置１００のエラー音に関する設定を異なる設定に容易にすることができる。
【００９４】
また、本実施の形態によれば、エラー音を変更する前に、他の貨幣処理装置１００で利用されているエラー音を確認することができる。このため、少ない操作回数で迅速に適切なエラー音を設定することができる。
【００９５】
第４の実施の形態
次に、図１０により、本発明の第４の実施の形態について説明する。
【００９６】
本実施の形態では、最初に、送信側制御部８０ｓが、送信側送信部８５ｓを介して、ブロードキャストで各受信側受信部８６ｒに問い合わせ情報を送信するように構成されている。
【００９７】
そして、受信側受信部８６ｒが問い合わせ情報を受信すると、受信側設定確認部１１ｒが受信側設定部１０ｒで設定されているエラー音の設定内容の確認を行い、受信側送信部８５ｒが当該設定内容の確認結果に関する情報を送信側受信部８６ｓに送信する態様になっている。
【００９８】
図１０に示す第４の実施の形態において、図１乃至図９に示す第１乃至第３の実施の形態と同一部分には同一符号を付して詳細な説明は省略する。
【００９９】
以下、図５および図１０を用いて、貨幣処理システムにおける処理の流れを説明する。なお、以下で示す「ＳＴ」は断りがない限り図１０で示された「ＳＴ」を意味している。
【０１００】
まず、銀行などの金融機関に、送信側貨幣処理装置１００ｓが新たに設置される（ＳＴ１０）。
【０１０１】
次に、送信側制御部８０ｓによって、送信側送信部８５ｓを介してブロードキャストで各受信側受信部８６ｒに問い合わせ情報が送信される（ＳＴ３１）。なお、このとき全ての受信側貨幣処理装置１００ｒに問い合わせ情報が送信されるのではなく、送信側貨幣処理装置１００ｓから所定の距離未満にある受信側貨幣処理装置１００ｒのみに問い合わせ情報が送信される態様であってもよい。
【０１０２】
次に、受信側受信部８６ｒが問い合わせ情報を受信すると（ＳＴ３２）、受信側設定確認部１１ｒによって、受信側設定部１０ｒで設定されているエラー音の設定内容の確認が行われる（ＳＴ３３）。
【０１０３】
次に、受信側制御部８０ｒによって、受信側送信部８５ｒを介して、当該設定内容の確認結果に関する情報が送信側制御部８０ｓに送信される（ＳＴ３４）。
【０１０４】
次に、送信側制御部８０ｓによって、送信側受信部８６ｓを介して、各受信側貨幣処理装置１００ｒから送信された設定内容の確認結果に関する情報が受信される（ＳＴ３５）。
【０１０５】
次に、送信側制御部８０ｓによって、送られてきたエラー音の内容が判断される。そして、送信側制御部８０ｓからの指示を受けて、送信側設定部１０ｓによって、送られてきた各受信側貨幣処理装置１００ｒで設定されているエラー音と異なるエラー音が送信側エラー音として設定される（ＳＴ２６’）。
【０１０６】
このように、本実施の形態によれば、貨幣処理装置１００の他に管理装置を特に設けることなく、複数ある貨幣処理装置１００のエラー音に関する設定を異なる設定に容易にすることができる。
【０１０７】
また、本実施の形態によれば、新たな貨幣処理装置１００を導入する際にすぐに他の貨幣処理装置１００で利用されているエラー音を確認することができるので、より少ない操作回数で迅速に適切なエラー音を設定することができる。
【０１０８】
なお、上記の第３および第４の実施の形態において貨幣処理装置１００は、図１１に示すように、設定内容の確認結果に基づいて推奨される設定を確定する推奨設定確定部１９をさらに有していてもよい。（より限定的には、送信側貨幣処理装置１００ｓが推奨設定確定部１９を有していればよい。）
【０１０９】
この場合には、送られてきた各受信側貨幣処理装置１００ｒで設定されているエラー音に基づいて、推奨設定確定部１９によって、エラー音について推奨される設定が確定される。ここで、確定された複数の設定が装置表示部７０に表示されて操作者によって最終的に一つに決定されてもよいし、自動的に一つのエラー音が確定されてもよい。このような態様によれば、適切なエラー音を容易に選択することができ、有益である。
【０１１０】
ところで、推奨されるエラー音は、他の貨幣処理装置１００が発するエラー音との類似度や、他の貨幣処理装置１００からの距離などを考慮して決定される。例えば、送信側貨幣処理装置１００ｓの近くに設置された受信側貨幣処理装置１００ｒのエラー音とは極力異なるエラー音が推奨されることとなる。
【０１１１】
また、上記の各実施の形態では、送信側貨幣処理装置１００ｓが新たに設置されるタイミングで送信情報がブロードキャストされる態様を用いて説明したが、これに限られることはない。例えば、ブロードキャストを、始業準備のために貨幣処理装置１００の電源を投入する度に行ってもよいし、設定を変更したときのみに行ってもよいし、所定の時間毎に行ってもよい。
【０１１２】
なお、貨幣処理装置１００が受信側貨幣処理装置１００ｒとして機能する場合には、受信側記憶部８１ｒは、他の貨幣処理装置１００（送信側貨幣処理装置１００ｓ）から送られてきた送信情報を記憶するとともに、他の貨幣処理装置１００（送信側貨幣処理装置１００ｓ）に送った応答情報を記憶する。他方、貨幣処理装置１００が送信側貨幣処理装置１００ｓとして機能する場合には、送信側記憶部８１ｓは、他の貨幣処理装置１００（受信側貨幣処理装置１００ｒ）に送った送信情報を記憶するとともに、他の貨幣処理装置１００（受信側貨幣処理装置１００ｒ）から受け取った応答情報を記憶する。
【０１１３】
このため、例えばアラーム音の設定の変更を行う際に、過去の送信情報や応答情報から、他の貨幣処理装置１００で利用しているアラーム音を予測することができる。この結果、他の貨幣処理装置１００（または所定の距離未満になる他の貨幣処理装置１００）が利用していないアラーム音を、装置表示部７０に表示することで操作者に選択させたり、制御部８０で自動的に選択して設定したりすることができ、アラーム音の選択を容易にすることができる。
【０１１４】
なお、貨幣処理装置１００の記憶部８１は、送信情報と応答情報の両方を記憶する必要は必ずしもなく、例えば、送信情報と応答情報のいずれかのみを記憶するように構成されていてもよい。
【０１１５】
第５の実施の形態
次に、図１２により、本発明の第５の実施の形態について説明する。
【０１１６】
上記の第１乃至第４の実施の形態は、各貨幣処理装置１００が発するエラー音を決定する態様であった。しかしながら、本発明は、このような態様に限られることはなく、送信側貨幣処理装置１００ｓと受信側貨幣処理装置１００ｒで同一になるようにされるべき共通設定項目を設定する際にも用いることができる。この場合には、送信情報は、送信側貨幣処理装置１００ｓと受信側貨幣処理装置１００ｒで同一になるように設定されるべき共通設定項目に関する情報を含み、応答情報は、共通設定項目が同一であるまたは異なっていることを示す情報を含む。
【０１１７】
第５の実施の形態では、共通設定項目の一例として各貨幣処理装置１００の識別レベルを用いて、まず説明する。
【０１１８】
本実施の形態の送信側設定部１０ｓは、送信側識別部１５０ｓ，１５５ｓの識別レベルを設定し、受信側設定部１０ｒは、受信側識別部１５０ｒ，１５５ｒの識別レベルを設定する。また、本実施の形態の送信情報は、送信側識別部１５０ｓ，１５５ｓの識別レベルに関する情報を含み、応答情報は、送信側識別部１５０ｓ，１５５ｓの識別レベルと受信側識別部１５０ｒ，１５５ｒの識別レベルが同一であるまたは異なっていることを示す情報を含む。
【０１１９】
図１２に示す第５の実施の形態において、図１乃至図１１に示す第１乃至第４の実施の形態と同一部分には同一符号を付して詳細な説明は省略する。
【０１２０】
以下、図５および図１２を用いて、貨幣処理システムにおける処理の流れを説明する。なお、以下で示す「ＳＴ」は断りがない限り図１２で示された「ＳＴ」を意味している。
【０１２１】
まず、送信側貨幣処理装置１００ｓの送信側制御部８０ｓによって、送信側貨幣処理装置１００ｓの損券レベル、真偽レベルなどの識別レベル（以下、「送信側識別レベル」とも言う。）に関する送信情報が、複数の受信側貨幣処理装置１００ｒに向けて、送信側送信部８５ｓを介してブロードキャストで送信される（ＳＴ５１）。なお、このような送信情報が送られるタイミングとしては、例えば、送信側貨幣処理装置１００ｓが新たに設置されたとき、始業準備のために貨幣処理装置１００の電源を投入したとき、設定を変更したとき、所定の時間が経過したときなどを挙げることができる。
【０１２２】
次に、各受信側貨幣処理装置１００ｒの受信側受信部８６ｒによって、ブロードキャストで送信された送信側識別レベルに関する送信情報が受信される（ＳＴ５２）。
【０１２３】
次に、各受信側貨幣処理装置１００ｒの受信側設定確認部１１ｒによって、受信側設定部１０ｒの設定内容、より具体的には受信側貨幣処理装置１００ｒの識別レベル（以下、「受信側識別レベル」とも言う。）の確認が行われる（ＳＴ５３）。そして、受信側制御部８０ｒによって、受信側受信部８６ｒで受信した送信側識別レベルに関する送信情報と受信側設定確認部１１ｒによって確認された受信側識別レベルに関する情報とに基づいて、送信側識別レベルと受信側識別レベルとが同一であるかまたは異なっているかが判断される。
【０１２４】
次に、送信側識別レベルと受信側識別レベルとが同一であるかまたは異なっているかという情報と受信側貨幣処理装置１００ｒを識別するための装置識別情報とを含む応答情報が、各受信側送信部８５ｒによって送信側受信部８６ｓに送信される（ＳＴ５４）。なお、本実施の形態では、送信側識別レベルと受信側識別レベルとが同一であろうと異なっていようと、応答情報が必ず送信される態様を用いて説明する。しかしながら、これに限られることはなく、送信側識別レベルと受信側識別レベルとが同一である場合にのみ応答情報が送信される態様であってもよいし、送信側識別レベルと受信側識別レベルとが異なる場合にのみ応答情報が送信される態様であってもよい。
【０１２５】
送信側受信部８６ｓを介して送信側制御部８０ｓが、各受信側送信部８５ｒから応答情報を受信すると（ＳＴ５５）、当該送信側制御部８０ｓによって、応答情報より、送信側識別レベルと異なる受信側識別レベルがあったかが確認される（ＳＴ５６）。なお、送信側識別レベルと受信側識別レベルとが同一である場合にのみ応答情報が送信される態様では、送信側送信部８５ｓから送信情報が送信されてから一定の時間の間、応答情報が送信側受信部８６ｓで受信されなければ、送信側識別レベルと受信側識別レベルとが異なるものとして送信側制御部８０ｓで判断される。他方、送信側識別レベルと受信側識別レベルとが異なる場合にのみ応答情報が送信される態様では、送信側送信部８５ｓから送信情報が送信されてから一定の時間の間、応答情報が送信側受信部８６ｓで受信されなければ、送信側識別レベルと受信側識別レベルとが同一であるとして送信側制御部８０ｓで判断される。
【０１２６】
送信側識別レベルと各受信側貨幣処理装置１００ｒの受信側識別レベルとが同一の場合には、装置表示部７０にその旨表示されるとともに、識別レベルの設定が終了される。
【０１２７】
他方、送信側識別レベルと受信側識別レベルとが異なる場合には、装置表示部７０に、識別レベルの異なる受信側貨幣処理装置１００ｒが表示される（ＳＴ５７）。
【０１２８】
次に、識別レベルの異なる貨幣処理装置１００の識別レベルが調整され、全ての貨幣処理装置１００の識別レベルが統一されることとなる（ＳＴ５８）。
【０１２９】
このように、本実施の形態によれば、貨幣処理装置１００の他に管理装置を特に設けることなく、複数ある貨幣処理装置１００の識別レベルに関する設定を同一の設定に容易にすることができる。
【０１３０】
なお、上述した内容はあくまでも一例であり、別の方法で全ての貨幣処理装置１００の識別レベルを統一させることが考えられる。例えば、応答情報に、応答情報を送信する受信側貨幣処理装置１００ｒの識別レベルに関する情報が含まれ、送信側貨幣処理装置１００ｓで各受信側貨幣処理装置１００ｒの識別レベルを確認することができるようになり、最も多数を占める識別レベルと異なる識別レベルからなる貨幣処理装置１００が装置表示部７０に表示されてもよい。この場合には、最も多数を占める識別レベルと異なる識別レベルからなる貨幣処理装置１００の識別レベルが調整されることとなる。
【０１３１】
ところで、本実施の形態では、識別レベルを統一させる態様を例にとって説明したが、本実施の形態で記載した事項は、送信側貨幣処理装置１００ｓと受信側貨幣処理装置１００ｒで同一になるようにされるべき共通設定項目を設定する際であれば、同様に適用されうる。
【０１３２】
例えば、収納部１６０，１７０へ収納される貨幣の金種および枚数を統一させる場合であってもよく、この場合には、送信側設定部１０ｓは、送信側貨幣処理装置１００ｓの送信側収納部１６０ｓ，１７０ｓに収納されるべき貨幣の金種および枚数を設定し、受信側設定部１０ｒは、受信側貨幣処理装置１００ｒの受信側収納部１６０ｒ，１７０ｒに収納されるべき貨幣の金種および枚数を設定する。また、送信情報は、送信側収納部１６０ｓ，１７０ｓに収納されている貨幣の金種および枚数に関する情報を含み、応答情報は、送信側収納部１６０ｓ，１７０ｓと受信側収納部１６０ｒ，１７０ｒに収納されている貨幣の金種および枚数が同一であるかに関する情報を含むか、または、応答情報を送信する受信側貨幣処理装置１００ｒの受信側収納部１６０ｒ，１７０ｒに収納されている貨幣の金種および枚数に関する情報を含む。
【０１３３】
なお、収納部１６０，１７０へ収納される貨幣の金種および枚数を統一させる場合とは、例えば、紙幣収納部１６０に収納される紙幣の収納パターンを統一させる場合や、貨幣処理装置１００が釣銭機の場合であって収納部に収納されている釣銭準備金を統一させる場合などを挙げることができる。
【０１３４】
このような態様によって、貨幣処理装置１００の他に管理装置を特に設けることなく、複数ある貨幣処理装置１００の収納部１６０，１７０へ収納される貨幣の金種および枚数に関する設定を同一の設定に容易にすることができる。この結果、収納部１６０，１７０へ収納される貨幣の金種および枚数が異なること（釣銭準備金を統一させる場合であれば例えば釣銭補充忘れや金額の誤りなどの問題があること）を事前に防止し、後に生ずる可能性のある混乱を事前の対応で回避することができる。
【０１３５】
ところで、上記の各実施の形態で示した以外でも、ブロードキャストする設定内容、ブロードキャストに応答する内容、ブロードキャストするタイミングなどは操作者が自由に設定することができるようになっていてもよい。
【０１３６】
例えば、ブロードキャストすべき設定と、ブロードキャストしなくてよい設定とを分けて、さらにブロードキャストすべき設定を、全貨幣処理装置１００で同じであるべき共通設定項目と、全貨幣処理装置１００で異なるべき個別設定項目とに分けることができる。そして、各項目で、どのタイミングで設定確認するかについて設定可能となり、設定されたタイミングに基づき、共通の設定となっているか個別に異なる設定となっているかを確認し、確認結果に応じ対応することもできる。
【０１３７】
また、装置表示部７０には、適切な対応、推奨される対応などが適宜表示されるようになってもよい。
【０１３８】
なお、上記では、第１−４の実施の形態と第５の実施の形態を別個に説明したが、これら第１−４の実施の形態と第５の実施の形態を組合せてもよい。すなわち、ブロードキャストする送信情報として、エラー音に関する情報、識別レベルに関する情報並びに送信側収納部１６０ｓ，１７０ｓに収納されている貨幣の金種および枚数に関する情報を用いることができ、各貨幣処理装置１００が発するエラー音を調整するとともに、各貨幣処理装置１００の識別部の識別レベルおよび各貨幣処理装置１００の収納部１６０，１７０に収納される貨幣の金種および枚数を、統一させることもできる。
【０１３９】
ところで、上記の各実施の形態では、貨幣処理装置として、貨幣の入金処理と出金処理の両方を行うことができる入出金機を例にとって説明したが、これに限られることはなく、例えば入金処理のみを行うことができる入金機や、出金処理のみを行うことができる出金機を、貨幣処理装置として用いることもできる。
【符号の説明】
【０１４０】
１          筐体
１０        設定部
１０ｒ      受信側設定部
１０ｓ      送信側設定部
１１        設定確認部
１１ｒ      受信側設定確認部
１１ｓ      送信側設定確認部
１６        警告部
１６ｒ      受信側警告部
１６ｓ      送信側警告部
１９        推奨設定確定部
２０        紙幣入金部
２５        紙幣出金部
３０        硬貨入金部
３５        硬貨出金部
４２        リジェクトボックス
７０        装置表示部（表示部）
７１        ファンクションキー
８０        制御部
８０ｒ      受信側制御部
８０ｓ      送信側制御部
８１        記憶部
８１ｒ      受信側記憶部
８１ｓ      送信側記憶部
８５        送信部
８５ｒ      受信側送信部
８５ｓ      送信側送信部
８６        受信部
８６ｒ      受信側受信部
８６ｓ      送信側受信部
１００      貨幣処理装置
１００ｒ    受信側貨幣処理装置
１００ｓ    送信側貨幣処理装置
１２０      紙幣搬送部
１３０      硬貨搬送部
１５０      紙幣識別部
１５５      硬貨識別部
１６０      紙幣収納部
１７０      硬貨収納部
【図１】
0005583521.tif 000002
【図２】
0005583521.tif 000003
【図３】
0005583521.tif 000004
【図４】
0005583521.tif 000005
【図５】
0005583521.tif 000006
【図６】
0005583521.tif 000007
【図７】
0005583521.tif 000008
【図８】
0005583521.tif 000009
【図９】
0005583521.tif 000010
【図１０】
0005583521.tif 000011
【図１１】
0005583521.tif 000012
【図１２】
0005583521.tif 000013